(57)【要約】【課題】傘使用者が強風にあおられて傘骨を損傷する事故はそれほど珍しくないが、高価な傘を修理が面倒とそのまま使わずに終わらせるのは資源の無駄である。このような事故を防止すべく、強い風雨に遭遇しても親骨の損傷がない傘を考案し、人々にいつまでも大切に使ってもらえる傘を提供する。【解決手段】“柔よく剛を制す“のコンセプトのもと、親骨その他の傘骨の強度を高めることにより解決策を見出すのではなく、傘の頭頂部から放射状に伸びるすべての親骨の中間部分にコイルバネあるいは薄板バネを組み込むことによって、風圧等の外力を柔軟に受け止め、受け流す方法で上記課題を解決する。【選択図】図１
2011206505.tif 000002
【特許請求の範囲】
【請求項１】
傘頭頂部から放射状に伸びるすべての親骨の中間部分をコイルバネで構成したことを特徴とする傘骨が受ける風圧を弱める傘。
【請求項２】
親骨の中間部分をコイルバネおよび薄板バネで構成したことを特徴とする請求項１記載の傘骨が受ける風圧を弱める傘。
【請求項３】
親骨の中間部分を薄板バネで構成したことを特徴とする請求項１記載の傘骨が受ける風圧を弱める傘。
【発明の詳細な説明】
【技術分野】
【０００１】  本発明は、強風を受けても親骨が折損しにくい傘に関するものである。
【背景技術】
【０００２】  従来から使われている傘は、前方から吹いてくる風に対しては比較的強度があり、強風下でも傘を少しつぼめることで親骨等への損傷をかなり防ぐことができる。しかし、横から吹きつけてくる風や後方からやってくる突風に対しては対応しきれない場合が多い。つまり、傘にかかる風圧で傘が逆反りして親骨が折れ曲がるなどの損傷を受けたり、傘を握っている者が傘ごと引きずられたり、あるいは傘を飛ばされそうになったりする事故がしばしば発生している。【０００３】  こうした傘の持つ弱点を補うために、これまで多数のアイデアが提案されているが、その多くは傘布の一部に通風窓を設けて風を逃がすもの、傘の親骨を強固にして折れなくするもの、補強材（線）を傘の内側空間に張り逆反りを防止するものなどである。しかしこうした対応では強い風圧を減衰させるには不十分であると考えられ、風圧が減衰する前に傘ごと人が吹き飛ばされるおそれも残る。これらのアイデアの他に、親骨上の何か所かに親骨が折れ曲がる関節およびコイルバネを設けたもの（特許文献１参照）が提案されている。
【先行技術文献】
【０００４】
【特許文献１】特開２００５−０８１１２９号公報
【発明の概要】
【発明が解決しようとする課題】
【０００５】  特許文献１は親骨上に関節を設けた点は、上述した他の方法と比べて風圧を減衰させるうえである程度有効ではあるが、その関節の曲がる方向が一方向だけであるため、あらゆる方向から来る風に対しては対応しきれない上に、逆方向に風圧がかかった場合には関節の破損も危惧される。本願発明は、どの方向から来る風に対しても傘を親骨の折損から守るという課題を設定して発案したものである。
【課題を解決するための手段】
【０００６】  上記の課題を解決するために請求項１に記載のアイデアは、傘頭頂部から放射状に伸びるすべての親骨の中間部分をコイルバネで構成したことを特徴とする傘骨が受ける風圧を弱める傘である。【０００７】  広く一般に使用されている傘は、傘頭頂部の石突きから放射状に伸びる親骨の中央付近を、柄部をスライドする昇降筒から放射状に伸びる受骨が支える仕組みとなっており、強風が吹いてきた場合、傘布の面積が広い外縁部分により大きな風圧がかかりその力が集結する親骨と受骨の連結部付近で親骨が折れ曲がる危険性をはらんでいる。これを防止するためには、連結部分を中心に親骨を補強して折れにくくするとか、曲がるだけで折れない柔軟な素材を傘骨に用いるなどの方法が考えられる。親骨全体を頑丈で折れにくいものにするアイデアは一見よさそうに見えるが、それも程度問題で、風圧に強すぎる傘を作れば親骨の折損は防げても、風圧の強さに人が傘に引きずられて飛ばされる危険性もあり推奨できない。【０００８】  そこで本願発明では人の安全面にも考慮を払い、親骨を強靭にして大きな力を受けても折れ曲がらない傘骨を追求するのではなく、例えて言うならば親骨を柳の木に見立て、強風が来ても柔軟に曲がって風を受け流すことにより風圧を減衰させる方法を追求した。具体的には、親骨の中間部分にコイルバネを組み込み、コイルバネの柔軟性と反発力により風圧が強くなれば親骨が自然と曲がり、弱くなれば回復して元のまっすぐな親骨に戻るというものである。コイルバネは９０度以上曲がっても十分に復元する反発力があり、この部位に組み込むバネ体としては最適のものである。【０００９】  コイルバネの縦断面が円形なのに対し、通常の傘の親骨の断面はＵ字形となっていてコイルバネを挿入しても座りがわるい。コイルバネを親骨にしっかりと固定するためには内側に親骨がしっかりとはまるＵ字溝を有し外形が丸管形のステーを使う方法や、親骨に固くはまる金属その他の丸管ステーを差し込み、その上にコイルバネを固くはめ込んで固定する方法などが適している。いずれにしろガタもなくしっかりと固定しておかないと傘使用中にコイルバネが抜け落ちたり親骨が回転してしまうなどの不具合が生じるので、この工程は重要である。親骨からコイルバネの抜け落ちを防ぐためには、強力な接着剤を親骨と丸管ステー、丸管ステーとコイルバネの間に塗布すると一層固定状態がよくなる。【００１０】  こうした作業により２本の親骨はコイルバネによって連結されるが、その場合、両親骨間の距離はバネの機能を発揮させる上で重要なポイントとなる。親骨同士がくっつきすぎていると風圧でバネが曲がったのち元どおりの直線状態に回復しない事態が起こるし、離れすぎているとバネの抗力が弱まったりバネの親骨支持が不安定になり推奨できない。両親骨間の距離はバネの正常な作動のためには１０〜１５ｍｍ程度が適正と思われる。１本の親骨に対しコイルバネを組み込む個所は、１個所あれば効果が出てコスト的にも安くつくが２個所以上設定しても構わない。【００１１】  コイルバネの強さについては、強すぎず弱すぎず、適度な強さが要求される。すなわち、大きな風圧を受けても曲がらないほど強すぎると、バネが曲がる前に親骨が損傷を受ける場面も考えられ、また傘を持つ手に大きな風圧がかかりバネを設けた意味がなくなる。逆にバネが弱すぎると、傘をさして歩くときの振動や弱い風雨で親骨が容易に曲がり雨を傘の内側に呼び込みやすく不安定な傘となる。弱い風や少々の振動ではびくともせず、ある程度の風圧を受けたときに折れ曲がり風圧を逃がす程度の適度の硬さが理想的である。【００１２】  上記課題を解決するために請求項２に記載のアイデアは、親骨の中間部分をコイルバネおよび薄板バネで構成したことを特徴とする請求項１記載の傘骨が受ける風圧を弱める傘である。【００１３】  このアイデアは、コイルバネを装着した部位に薄板バネを１枚重ねて装着するものである。具体的には、傘をさした状態でコイルバネの下側すなわち傘の内側にバネに接して上方向に湾曲した薄板バネを１枚装着する。薄板バネとしては鋼製巻尺と同様の復元性を有する材質でテープ状のものを使用し、コイルバネが曲がるのを一定重力がかかるまで支える役目を果たす。一定重力を超えたとき一気に支持力が衰えコイルバネともども曲がるので、傘をさして歩く振動があってもバネ部分より先の親骨が揺らぐことはないし、傘を開いた状態でコイルバネ装着部分で親骨が不自然に下方に曲がるのを防ぐことができる。【００１４】  薄板バネは一度下方に曲げられても、風が弱まったり傘をつぼめて再度開いたときにはまっすぐ一直線に伸びた状態に復元することが要求される。薄板バネはコイルバネの上下にコイルバネを挟むようにして２枚を装着してもよい。この場合、コイルバネを両親骨に固着する場合に、コイルバネが下方または上方へ曲がったときに薄板バネが長尺方向に引っ張られることを考慮して、両方の板バネとも長尺方向にスライドできる余地を確保し、親骨に差し込んだ丸管ステーに固定してしまわないようにしておくことが必要である。【００１５】  薄板バネをコイルバネに装着する場合、丸管ステーとコイルバネの上に直接装着してもよいが、薄板バネの座りをよくし、薄板バネの湾曲を維持して曲げ強度を高めるため幅方向に湾曲した湾曲ステーを使用することも一策である。丸管ステーと湾曲ステーは一体化してもよい。薄板バネは、コイルバネが装着された個所にペアとして装着する。【００１６】  上記課題を解決するために請求項３に記載のアイデアは、親骨の中間部分を薄板バネで構成したことを特徴とする請求項１記載の傘骨が受ける風圧を弱める傘である。【００１７】  この実施例においてはコイルバネを使用せず、１個所に薄板バネ２枚または１枚を使用する。薄板バネは上方向および下方向に湾曲したものを向き合わせて２枚、または上方向に湾曲したもののみを１枚使用する。２枚の場合、下の薄板バネは湾曲を上方に向け、上の薄板バネは湾曲を下方に向けて装着する。上方向に湾曲した薄板バネは親骨が下方へ曲がるのを抑制し、下方向に湾曲した薄板バネは傘が逆反りするのを抑制する役目を持つ。【００１８】  薄板バネの強度は板幅や板厚、幅方向への湾曲度合いなどにより変わるが、薄板バネ装着の傘をさしていて微風や通常の降雨あるいは歩く振動で折れ曲がることのない曲げ強度が求められる。サイズは、親骨の安定性を考慮して幅１５ｍｍ前後、長さは親骨への装着部分が３０ｍｍ前後、板���ネのみとなる部分が１５〜２０ｍｍ、全長が７０〜８０ｍｍ程度が正常に機能する妥当な範囲と思われる。【００１９】  薄板バネ２枚を装着する場合は親骨に装着した丸管ステーだけでは不安定なため、請求項２のところで述べた湾曲ステーを装着してその上面に薄板バネを固定した方がしっかり留まってよい。薄板バネの両端はステーに固定するが、２枚のうち少なくともどちらか１枚の一端は固定せず、曲げたときに長尺方向にスライドして曲がる余地を残しておくことが必要である。１枚のみの場合は両端とも固定しても問題ない。なお、丸管ステーと湾曲ステーは一体化したものでも構わない。薄板バネについても親骨１本に１個所の装着を基本とするが、２個所以上とすることもできる。
【発明の効果】
【００２０】  いずれの方向から吹き付ける風、雨、雪などに対してもコイルバネおよび薄板バネが屈曲して雨風等を受け流すため、一番損傷を受けやすい親骨の折損を防ぐことができる。また風が止んで傘を一度閉じてまた開けばバネの復元力で傘を元の状態に簡単に戻すことができる。さらに、傘を干しているときなどに傘が風に飛ばされて親骨が物に当たっても、親骨が自由に曲がって親骨の折損から傘を守ることができる。【００２１】  傘使用中の安全性も効果として挙げられる。人は風で傘ともども吹き飛ばされそうになっても自分の傘を手離そうとしないのが常で、引きずられて転倒したり建造物などにぶつかってケガをすることも十分あり得る。ところが本願発明の傘は受ける風圧の三分の二程度を受け流すことができ、女性でも傘を手で支え持てるほど安全面が大きく改善される。（本願出願人試作の傘による計算では、風で親骨が９０度以上曲がると、傘布の面積が約７４％減少し、実験でも細身の女性が自力で十分傘を支えることができた）
【図面の簡単な説明】
【００２２】
【図１】  広げた傘を内側から見た斜視図で、親骨の中間部分にコイルバネを組み込んだ状態を示す斜視図。
【図２】  親骨と受骨の連結部付近にコイルバネを組み込んだ状態を示す部分拡大斜視図。コイルバネの内側は図では見えないが、親骨は分離されている。
【図３】  親骨に組み込んだコイルバネの下側（傘の内側）に薄板バネを装着した状態を示す部分拡大斜視図。本図では湾曲ステーは使用されていない。
【図４】  親骨と親骨の間にコイルバネを組み込まずに、湾曲ステーを介して薄板バネを組み込んだ状態を示す部分拡大斜視図。
【図５】  傘をさしていて矢印方向に強風が吹いてきた場合、親骨が曲がって風圧を減衰させる状態を示す斜視図で、傘はいっぱいに開いたままの状態で使用されている。
【図６】  傘をさしているとき後方から矢印方向の強風が来て傘が逆反りした状態を示す斜視図で、やはり傘はいっぱいに開いた状態で使用されている。
【発明を実施するための形態】
【００２３】  本願発明は以上のような構造であり、その使用方法は以下のとおりである。まず、雨や風が強くなければ握り部８を持って普通の傘として使用できる。風雨が強い場合には、傘が飛ばされないように握り部８と柄部７をしっかりと握り、雨にぬれないように風雨の来る方向へ傘を向けて使用する。普通の傘は風があまり強いと傘を少しつぼめてさすが、この傘はその必要がなく常にいっぱいに開いた状態で使用して問題はない。風圧の強弱を傘が感知して傘布５に力がかかりすぎるとコイルバネ３が自然に曲がって風圧を逃がし、風圧が減衰してくればバネは自然に正常な位置まで戻り風雨を防ぐからである。具体的に請求項１の実施例について述べれば、前方から吹いてくる風により、親骨１と昇降筒６から伸びる受骨２の連結部４付近に設けたコイルバネ３が内側に曲がり、親骨１が折損する事故を未然に防ぐ。一般に私たちは、風が吹いてくると無意識に傘をその方向に向けるが、不意に傘が横風を受けた場合には対応しきれずに親骨１などを折損してしまう。このような場合でも、本願発明の傘はコイルバネ３がどの方向から来る風に対しても自由に曲がり、親骨１を損傷から守ってくれる。強風が急に後方から吹いてきた場合も同様で、傘をさす人が傘を風の来る方向に立て直す間もなく傘は内側に風をはらみ逆反りしてしまう場合も十分考えられる。その場合、まず傘布５全体に大きな風圧がかかり、それが親骨１と受骨２の連結部４に大きな力となって集結し、その力によってコイルバネ３が一斉に外側に曲がる逆反りの状態に一瞬のうちになる。こうなったときは慌てずにそのままの位置で傘をつぼめ、風に向かってもう一度傘を開けばコイルバネ３の反発力で傘は元の状態に戻るし、親骨１も損傷を受けずに元の正常な状態に戻る。傘の外縁部が障害物などに当たった場合でも、同様にコイルバネ３が衝撃に対応してあらゆる方向に曲がって親骨１の損傷を防ぐ。以上述べた一連の傘の作動は、請求項２による実施例であるコイルバネ３の上に薄板バネ１０を装着した傘においても、あるいは請求項３で言及するコイルバネの替わりに薄板バネ１０で構成した傘についても同様である。
【符号の説明】
【００２４】  １・・・親骨
２・・・受骨
３・・・コイルバネ
４・・・連結部
５・・・傘布
６・・・昇降筒
７・・・柄部
８・・・握り部
９・・・丸管ステー
１０・・薄板バネ
１１・・湾曲ステー
【図１】
2011206505.tif 000003
【図２】
2011206505.tif 000004
【図３】
2011206505.tif 000005
【図４】
2011206505.tif 000006
【図５】
2011206505.tif 000007
【図６】
2011206505.tif 000008